(57)【要約】  管理システムは、機器の遠隔操作を行う操作端末と、前記操作端末からアクセス要求を受信し、前記アクセス要求の受信に応じて前記機器に要求コマンドを送信する制御装置とを備える。前記操作端末は、応答待ちタイマの満了タイミングを特定する情報をユーザに通知するユーザインタフェースを有し、前記応答待ちタイマは、前記要求コマンドの送信間隔又は受信間隔を規定するタイマである。
2017142015.tif 000002
【特許請求の範囲】
【請求項１】
機器の遠隔操作を行う操作端末と、
前記操作端末からアクセス要求を受信し、前記アクセス要求の受信に応じて前記機器に要求コマンドを送信する制御装置とを備え、
前記操作端末は、前記要求コマンドの送信間隔又は受信間隔を規定する応答待ちタイマの満了タイミングを特定する情報をユーザに通知するユーザインタフェースを有することを特徴とする管理システム。
【請求項２】
前記応答待ちタイマにセットされるタイマ値は、前記要求コマンドの内容に応じて定められることを特徴とする請求項１に記載の管理システム。
【請求項３】
前記操作端末は、前記応答待ちタイマにセットされるタイマ値を示す情報を、前記制御装置を介して前記機器から受信する受信部を備えることを特徴とする請求項１又は請求項２に記載の管理システム。
【請求項４】
前記操作端末は、前記応答待ちタイマの満了を示す情報を、前記制御装置を介して前記機器から受信する受信部を備えることを特徴とする請求項１乃至請求項３のいずれかに記載の管理システム。
【請求項５】
前記機器は、蓄電池であり、
前記要求コマンドは、前記蓄電池の運転モードの設定を要求する運転モード設定要求コマンドを含み、
前記応答待ちタイマは、前記運転モード設定要求コマンドに適用される運転モード再設定待ちタイマを含むことを特徴とする請求項１乃至請求項４のいずれかに記載の管理システム。
【請求項６】
操作端末から制御装置にアクセス要求を送信するステップと、
前記アクセス要求の受信に応じて、前記制御装置から機器に要求コマンドを送信するステップと、
前記要求コマンドの受信に応じて、前記機器から前記制御装置に応答コマンドを送信するステップと、
応答待ちタイマの満了タイミングを特定する情報を前記操作端末からユーザに通知するステップとを備え、
前記応答待ちタイマは、前記要求コマンドの送信間隔又は受信間隔を規定するタイマであることを特徴とする管理方法。
【請求項７】
機器の遠隔操作を行うために、前記機器を制御する制御装置にアクセス要求を送信する送信部と、
応答待ちタイマの満了タイミングを特定する情報をユーザに通知するユーザインタフェースを備え、
前記応答待ちタイマは、前記アクセス要求に応じて前記制御装置から前記機器に送信される要求コマンドの送信間隔又は受信間隔を規定するタイマであることを特徴とする操作端末。
【請求項８】
操作端末からアクセス要求を受信する第１受信部と、
前記アクセス要求の受信に応じて、機器に要求コマンドを送信する第１送信部と、
前記機器から前記要求コマンドに対応する応答コマンドを受信する第２受信部と、
応答待ちタイマの満了タイミングを特定する情報の通知に用いる情報を前記機器に送信する第２送信部とを備え、
前記応答待ちタイマは、前記要求コマンドの送信間隔又は受信間隔を規定するタイマであり、
前記応答待ちタイマの満了タイミングを特定する情報は、前記操作端末からユーザに通知されることを特徴とする制御装置。
【発明の詳細な説明】
【技術分野】
【０００１】
本発明は、管理システム、管理方法、操作端末及び制御装置に関する。
【背景技術】
【０００２】
近年、複数の機器と、複数の機器を制御する制御装置とを有する管理システムが提案されている（例えば、特許文献１）。複数の機器は、例えば、エアーコンディショナー、照明装置などの家電機器、及び、太陽電池、蓄電池、燃料発電装置などの分散電源である。制御装置は、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。【０００３】
上述した管理システムの普及には、複数の機器と制御装置との間の通信規格を共通化することが効果的であり、このような通信規格の共通化が試みられている。
【先行技術文献】
【特許文献】
【０００４】
【特許文献１】特開２０１０−１２８８１０号公報
【発明の概要】
【０００５】
管理システムは、機器の遠隔操作を行う操作端末と、前記操作端末からアクセス要求を受信し、前記アクセス要求の受信に応じて前記機器に要求コマンドを送信する制御装置とを備える。前記操作端末は、応答待ちタイマの満了タイミングを特定する情報をユーザに通知するユーザインタフェースを有する。前記応答待ちタイマは、前記要求コマンドの送信間隔又は受信間隔を規定するタイマである。
【０００６】
管理方法は、操作端末から制御装置にアクセス要求を送信するステップと、前記アクセス要求の受信に応じて、前記制御装置から機器に要求コマンドを送信するステップと、前記要求コマンドの受信に応じて、前記機器から前記制御装置に応答コマンドを送信するステップと、応答待ちタイマの満了タイミングを特定する情報を前記操作端末からユーザに通知するステップとを備える。前記応答待ちタイマは、前記要求コマンドの送信間隔又は受信間隔を規定するタイマである。
【０００７】
操作端末は、機器の遠隔操作を行うために、前記機器を制御する制御装置にアクセス要求を送信する送信部と、応答待ちタイマの満了タイミングを特定する情報をユーザに通知するユーザインタフェースを備える。前記応答待ちタイマは、前記アクセス要求に応じて前記制御装置から前記機器に送信される要求コマンドの送信間隔又は受信間隔を規定するタイマである。
【０００８】
制御装置は、操作端末からアクセス要求を受信する第１受信部と、前記アクセス要求の受信に応じて、機器に要求コマンドを送信する第１送信部と、前記機器から前記要求コマンドに対応する応答コマンドを受信する第２受信部と、応答待ちタイマの満了タイミングを特定する情報の通知に用いる情報を前記機器に送信する第２送信部とを備える。前記応答待ちタイマは、前記要求コマンドの送信間隔又は受信間隔を規定するタイマであり、前記応答待ちタイマの満了タイミングを特定する情報は、前記操作端末からユーザに通知される。
【図面の簡単な説明】
【０００９】
【図１】図１は、実施形態に係る電力管理システム１を示す図である。
【図２】図２は、実施形態に係るＥＭＳコントローラ１６０を示す図である。
【図３】図３は、実施形態に係る操作端末１７０を示す図である。
【図４】図４は、実施形態に係る管理方法を示す図である。
【図５】図５は、変更例１に係る管理方法を示す図である。
【図６】図６は、変更例２に係る管理方法を示す図である。
【発明を実施するための形態】
【００１０】
以下において、実施形態について図面を参照しながら説明する。なお、以下の図面の記載において、同一又は類似の部分には、同一又は類似の符号を付している。
【００１１】
ただし、図面は模式的なものであり、各寸法の比率などは現実のものとは異なる場合があることに留意する。従って、具体的な寸法などは以下の説明を参酌して判断すればよい。また、図面相互間においても互いの寸法の関係や比率が異なる部分が含まれる場合がある。
【００１２】
［実施形態］
（電力管理システム）
以下において、実施形態に係る電力管理システムについて説明する。
【００１３】
図１に示すように、電力管理システム１は、施設１００と、外部サーバ４００とを有する。施設１００は、ルータ２００を有する。ルータ２００は、ネットワーク３００を介して外部サーバ４００と接続される。ルータ２００は、ローカルエリアネットワークを構成しており、例えば、ＰＣＳ１３０、負荷１５０、ＥＭＳコントローラ１６０及び操作端末１７０などと接続される。図１において、実線は電力線を示しており、点線は信号線を示している。なお、これに限定されるものではなく、電力線で信号を送信してもよい。
【００１４】
施設１００は、太陽電池１１０と、蓄電池１２０と、ＰＣＳ１３０と、分電盤１４０と、負荷１５０と、ＥＭＳコントローラ１６０と、操作端末１７０とを有する。
【００１５】
太陽電池１１０は、受光に応じて発電を行う装置である。太陽電池１１０は、発電されたＤＣ電力を出力する。太陽電池１１０の発電量は、太陽電池１１０に照射される日射量に応じて変化する。
【００１６】
蓄電池１２０は、電力を蓄積する装置である。蓄電池１２０は、蓄積されたＤＣ電力を出力する。
【００１７】
ＰＣＳ１３０は、ＤＣ電力をＡＣ電力に変換する電力変換装置（ＰＣＳ；Ｐｏｗｅｒ  Ｃｏｎｄｉｔｉｏｎｉｎｇ  Ｓｙｓｔｅｍ）の一例である。実施形態では、ＰＣＳ１３０は、変換装置１３１及び通信装置１３２を有する。
【００１８】
変換装置１３１は、太陽電池１１０から入力されるＤＣ電力をＡＣ電力に変換するとともに、蓄電池１２０から入力されるＤＣ電力をＡＣ電力に変換する。変換装置１３１は、電力系統１０から供給されるＡＣ電力をＤＣ電力に変換する。通信装置１３２は、変換装置１３１と接続されており、変換装置１３１への各種メッセージを受信するとともに、変換装置１３１からの各種メッセージを送信する。通信装置１３２と変換装置１３１との間の通信では、後述する所定プロトコルに準拠しないプロトコル（例えば、独自プロトコル）が用いられてもよい。
【００１９】
実施形態では、変換装置１３１は、電力系統１０に接続された主幹電力線１０Ｌ（ここでは、主幹電力線１０ＬＡ及び主幹電力線１０ＬＢ）に第１分電盤１４０Ａを介して接続されるとともに、太陽電池１１０及び蓄電池１２０の双方に接続される。主幹電力線１０ＬＡは、電力系統１０と第１分電盤１４０Ａとを接続する電力線であり、主幹電力線１０ＬＢは、第１分電盤１４０Ａと第２分電盤１４０Ｂとを接続する電力線である。
【００２０】
分電盤１４０は、主幹電力線１０Ｌに接続される。分電盤１４０は、第１分電盤１４０Ａ及び第２分電盤１４０Ｂを有する。第１分電盤１４０Ａは、主幹電力線１０ＬＡを介して電力系統１０に接続されているとともに、変換装置１３１を介して太陽電池１１０及び蓄電池１２０と接続されている。また、第１分電盤１４０Ａは、変換装置１３１から出力される電力及び電力系統１０から供給される電力を制御して主幹電力線１０ＬＢに流す。主幹電力線１０ＬＢから流れてきた電力は、第２分電盤１４０Ｂによって、各装置（ここでは、負荷１５０及びＥＭＳコントローラ１６０）に分配される。
【００２１】
負荷１５０は、電力線を介して供給される電力を消費する装置である。例えば、負荷１５０は、冷蔵庫、照明、エアコン、テレビなどの装置を含む。負荷１５０は、単数の装置であってもよく、複数の装置を含んでもよい。
【００２２】
ＥＭＳコントローラ１６０は、各機器（例えば、太陽電池１１０、蓄電池１２０、ＰＣＳ１３０又は負荷１５０）を制御する装置（ＥＭＳ；Ｅｎｅｒｇｙ  Ｍａｎａｇｅｍｅｎｔ  Ｓｙｓｔｅｍ）である。具体的には、ＥＭＳコントローラ１６０は、ルータ２００を介して各機器と接続されており、所定プロトコルに準拠する所定メッセージの通信を各機器と行う。
【００２３】
実施形態では、所定プロトコルは、特に限定されるものではなく、例えば、ＥＣＨＯＮＥＴ  Ｌｉｔｅ方式、ＳＥＰ２．０またはＫＮＸ等である。所定フォーマットは、例えば、ＥＣＨＯＮＥＴ  Ｌｉｔｅに準拠するフォーマットである。所定メッセージは、例えば、ＳＥＴコマンド、ＧＥＴコマンド、ＳＥＴコマンドに対する応答コマンド、ＧＥＴコマンドに対する応答コマンド又はＩＮＦコマンドである。ＳＥＴコマンドは、機器に対する設定又は操作を指示するためのメッセージである。ＧＥＴコマンドは、機器の状態を取得するためのメッセージである。ＳＥＴコマンドに対する応答コマンドは、ＳＥＴコマンドで指示された設定又は操作を受け付けた旨を示すメッセージである。ＧＥＴコマンドに対する応答コマンドは、ＧＥＴコマンドで要求された情報を含むメッセージである。ＩＮＦコマンドは、ＰＣＳ１３０の状態を通知するためのメッセージである。
【００２４】
操作端末１７０は、ＥＭＳコントローラ１６０にアクセス要求を送信することによって、各機器（例えば、太陽電池１１０、蓄電池１２０、ＰＣＳ１３０又は負荷１５０）を遠隔操作する端末である。操作端末１７０とＥＭＳコントローラ１６０との間の通信は、所定プロトコルに準拠しないプロトコル（例えば、独自プロトコル）が用いられてもよい。操作端末１７０は、例えば、スマートフォン、タブレット又は専用端末である。操作端末１７０は、有線又は無線によりＥＭＳコントローラ１６０と接続されており、ＥＭＳコントローラ１６０と通信を行う。操作端末１７０は、所定フォーマットを有する所定メッセージの通信をＥＭＳコントローラ１６０と行ってもよい。
【００２５】
外部サーバ４００は、電力事業者又は電力アグリゲータ−によって管理されるサーバである。外部サーバ４００は、ＰＣＳ１３０又はＥＭＳコントローラ１６０に対して電力指令メッセージを送信する。
【００２６】
電力指令メッセージは、電力系統１０から供給される電力の量である潮流量又は電力系統１０に供給される電力の量である逆潮流量の抑制に関するメッセージである。潮流量の削減に関する電力指令メッセージは、例えば電力使用量の削減希望量が○％削減である旨のメッセージであったり、電力使用量の削減希望量が○ｋｗｈ削減である旨のメッセージであったり、削減量に応じてインセンティブを提示する旨のメッセージであってもよい。逆潮流の抑制に関するメッセージは、例えば、逆潮流を○％削減する旨のメッセージ等が想定される。施設１００に設けられる蓄電池１２０などの分散電源がＶＰＰ（Ｖｉｒｔｕａｌ  Ｐｏｗｅｒ  Ｐｌａｎｔ）に用いられる場合において、電力指令メッセージは、分散電源を制御するメッセージであってもよい。
【００２７】
（制御装置）
以下において、実施形態に係る制御装置について説明する。図２に示すように、制御装置（ＥＭＳコントローラ１６０）は、通信部１６１と、制御部１６２とを有する。
【００２８】
通信部１６１は、通信モジュールによって構成されており、各機器（例えば、太陽電池１１０、蓄電池１２０、ＰＣＳ１３０又は負荷１５０）と通信を行う。通信部１６１は、操作端末１７０及び外部サーバ４００と通信を行う。
【００２９】
通信部１６１は、操作端末１７０からアクセス要求を受信する第１受信部の一例である。通信部１６１は、アクセス要求の受信に応じて、機器に要求コマンドを送信する第１送信部の一例である。通信部１６１は、機器から要求コマンドに対応する応答コマンドを受信する第２受信部の一例である。通信部１６１は、応答待ちタイマの満了タイミングを特定する情報の通知に用いる情報（例えば、後述するタイマ値情報）を機器に送信する第２送信部の一例である。
【００３０】
ここで、要求コマンドは、機器に対して所定動作を要求するコマンドであり、例えば、上述したＳＥＴコマンド又はＧＥＴコマンドである。応答待ちタイマは、要求コマンドの送信間隔又は受信間隔を規定するタイマである。
【００３１】
制御部１６２は、ＣＰＵ及びメモリによって構成されており、ＥＭＳコントローラ１６０を制御する。制御部１６２は、要求コマンドを送信するタイミングから応答コマンドを受信するタイミングまでの時間を規定する応答待ちタイマを管理する。例えば、制御部１６２は、要求コマンドの送信に応じて応答待ちタイマを起動し、要求コマンドに対する応答コマンドの受信に応じて応答待ちタイマを停止する。制御部１６２は、応答待ちタイマの起動中において要求コマンドを連続的に送信しないように通信部１６１を制御する。言い換えると、制御部１６２は、要求コマンドの送信に応じて応答待ちタイマにセットされたタイマ値に対応する時間が経過するまで、或いは、要求コマンドに対する応答コマンドを受信するまで、次の要求コマンドの送信を制限する。
【００３２】
（操作端末）
以下において、実施形態に係る操作端末について説明する。図３に示すように、操作端末１７０は、通信部１７１と、ユーザインタフェース１７２と、制御部１７３とを有する。
【００３３】
通信部１７１は、通信モジュールによって構成されており、ＥＭＳコントローラ１６０と通信を行う。通信部１７１は、機器の遠隔操作を行うために、機器を制御するＥＭＳコントローラ１６０にアクセス要求を送信する送信部の一例である。例えば、通信部１７１は、応答待ちタイマにセットされるタイマ値を要求するタイマ値要求をＥＭＳコントローラ１６０に送信する。通信部１７１は、応答待ちタイマにセットされるタイマ値を示す情報を含むタイマ値情報をＥＭＳコントローラ１６０から受信する。
【００３４】
ユーザインタフェース１７２は、ディスプレイ及びスピーカの少なくともいずれか１つによって構成されており、各種情報をユーザに通知する。ユーザインタフェース１７２は、応答待ちタイマの満了タイミングを特定する情報（以下、満了タイミング情報）をユーザに通知する。
【００３５】
制御部１７３は、ＣＰＵ及びメモリによって構成されており、操作端末１７０を制御する。制御部１７３は、アクセス要求の送信に応じて満了タイミング情報を通知するようにユーザインタフェース１７２を制御する。
【００３６】
満了タイミング情報の通知態様は、特に限定されるものではないが、応答待ちタイマにセットされるタイマ値の表示（カウントダウン形式又はカウントアップ形式）であってもよく、次のアクセス要求を受け付け可能であるか否かを示す表示であってもよい。
【００３７】
（管理方法）
以下において、実施形態に係る管理方法について説明する。図４は、実施形態に係る管理方法を示すシーケンス図である。図４では、機器の一例として蓄電池１２０を例示している。
【００３８】
図４に示すように、ステップＳ１１において、操作端末１７０は、ＥＭＳコントローラ１６０の応答待ちタイマにセットされるタイマ値を要求するタイマ値要求をＥＭＳコントローラ１６０に送信する。
【００３９】
ステップＳ１２において、操作端末１７０は、ＥＭＳコントローラ１６０の応答待ちタイマにセットされるタイマ値を示す情報を含むタイマ値情報をＥＭＳコントローラ１６０から受信する。
【００４０】
ステップＳ１３において、操作端末１７０は、蓄電池１２０の遠隔操作を行うためにアクセス要求をＥＭＳコントローラ１６０に送信する。ここでは、アクセス要求は、蓄電池１２０の状態を取得するための要求である。
【００４１】
ステップＳ１４において、ＥＭＳコントローラ１６０は、アクセス要求に対応する要求コマンドを蓄電池１２０に送信する。ここでは、要求コマンドは、上述したＧＥＴコマンドである。ＥＭＳコントローラ１６０は、ＧＥＴコマンドの送信に応じて応答待ちタイマ（第１タイマ）を起動する。
【００４２】
ステップＳ１５において、ＥＭＳコントローラ１６０は、要求コマンドに対する応答コマンドを蓄電池１２０から受信する。ここでは、応答コマンドは、蓄電池１２０の状態を示す情報を含むＧＥＴ応答コマンドである。ＥＭＳコントローラ１６０は、ＧＥＴ応答コマンドの受信に応じて応答待ちタイマ（第１タイマ）を停止する。すなわち、ＥＭＳコントローラ１６０は、次の要求コマンドを送信可能な状態となる。ここでは、応答待ちタイマは、ＧＥＴ応答コマンドの受信に応じて満了する。しかしながら、応答待ちタイマは、タイマ値に対応する時間の経過に応じて満了してもよい。
【００４３】
ステップＳ１６において、操作端末１７０は、アクセス要求の送信に応じて、満了タイミング情報をユーザに通知する。上述したように、満了タイミング情報の通知態様は、応答待ちタイマにセットされるタイマ値の表示（カウントダウン形式又はカウントアップ形式）であってもよく、次のアクセス要求を受け付け可能であるか否かを示す表示であってもよい。
【００４４】
（作用及び効果）
実施形態では、操作端末１７０は、応答待ちタイマの満了タイミングを特定する情報をユーザに通知する。従って、操作端末１７０によって機器の遠隔操作を行う場合であっても、応答待ちタイマの満了前にＥＭＳコントローラ１６０から機器に連続的に要求コマンドが送信される可能性を低減することができ、制御装置の負荷を低減することができる。
【００４５】
［変更例１］
以下において、実施形態の変更例１について説明する。以下においては、実施形態に対する相違点について主として説明する。
【００４６】
実施形態では、操作端末１７０は、応答待ちタイマにセットされるタイマ値をＥＭＳコントローラ１６０から取得する（図４に示すステップＳ１１及びステップＳ１２）。これに対して、変更例１では、タイマ値を取得する処理が省略されてもよい。
【００４７】
具体的には、図５に示すように、ステップＳ２１において、操作端末１７０は、蓄電池１２０の遠隔操作を行うためにアクセス要求をＥＭＳコントローラ１６０に送信する。ここでは、アクセス要求は、蓄電池１２０の状態を取得するための要求である。
【００４８】
ステップＳ２２において、ＥＭＳコントローラ１６０は、アクセス要求に対応する要求コマンドを蓄電池１２０に送信する。ここでは、要求コマンドは、上述したＧＥＴコマンドである。ＥＭＳコントローラ１６０は、ＧＥＴコマンドの送信に応じて応答待ちタイマ（第１タイマ）を起動する。
【００４９】
ステップＳ２３において、ＥＭＳコントローラ１６０は、要求コマンドに対する応答コマンドを蓄電池１２０から受信する。ここでは、応答コマンドは、蓄電池１２０の状態を示す情報を含むＧＥＴ応答コマンドである。ＥＭＳコントローラ１６０は、ＧＥＴ応答コマンドの受信に応じて応答待ちタイマ（第１タイマ）を停止する。すなわち、ＥＭＳコントローラ１６０は、次の要求コマンドを送信可能な状態となる。
【００５０】
ステップＳ２４において、ＥＭＳコントローラ１６０は、応答待ちタイマの満了を示すタイマ満了通知を操作端末１７０に送信する。ここでは、応答待ちタイマは、ＧＥＴ応答コマンドの受信に応じて満了する。しかしながら、応答待ちタイマは、タイマ値に対応する時間の経過に応じて満了してもよい。
【００５１】
このような前提下において、ステップＳ２５において、操作端末１７０は、アクセス要求の送信に応じて、次のアクセス要求を受け付けられない旨を示す情報を通知する（受付不可通知）。ステップＳ２６において、操作端末１７０は、タイマ満了通知の受信に応じて、次のアクセス要求を受け付けられる旨を示す情報を通知する（受付可能通知）。ここで、ステップＳ２５及びステップ２６の処理は、応答待ちタイマの満了タイミングを特定する情報（満了タイミング情報）をユーザに通知する処理の一例であることに留意すべきである。
【００５２】
［変更例２］
以下において、実施形態の変更例２について説明する。以下においては、実施形態に対する相違点について主として説明する。
【００５３】
変更例２では、ＥＭＳコントローラ１６０は、応答待ちタイマとして第１タイマ及び第２タイマを有する。第２タイマは、蓄電池１２０の運転モードの設定を要求する運転モード設定要求コマンドに適用される運転モード再設定待ちタイマの一例である。第１タイマは、運転モード設定要求コマンド以外のコマンドに適用されるタイマの一例である。例えば、運転モード設定要求コマンドはＳＥＴコマンドであり、運転モード設定要求コマンド以外のコマンドはＧＥＴコマンドである。
【００５４】
図６に示すように、ステップＳ３１において、操作端末１７０は、蓄電池１２０の遠隔操作を行うためにアクセス要求をＥＭＳコントローラ１６０に送信する。ここでは、アクセス要求は、蓄電池１２０の運転モードを設定するための要求である。
【００５５】
ステップＳ３２において、ＥＭＳコントローラ１６０は、アクセス要求に対応する要求コマンドを蓄電池１２０に送信する。ここでは、要求コマンドは、上述したＳＥＴコマンドである。ＥＭＳコントローラ１６０は、ＳＥＴコマンドの送信に応じて第１タイマを起動するとともに、第２タイマを起動する。第２タイマだけではなく第１タイマを起動する理由は、第２タイマの満了前であっても、第１タイマが満了後であれば、運転モード設定要求コマンド以外のコマンドを送信することができるためである。
【００５６】
ステップＳ３３において、ＥＭＳコントローラ１６０は、要求コマンドに対する応答コマンドを蓄電池１２０から受信する。ここでは、応答コマンドは、蓄電池１２０の運転モードの設定を受け付けた旨を示すＳＥＴ応答コマンドである。ＥＭＳコントローラ１６０は、ＳＥＴ応答コマンドの受信に応じて第１タイマを停止する。一方で、ＥＭＳコントローラ１６０は、ＳＥＴ応答コマンドの受信に応じて第２タイマを停止しない。すなわち、ＥＭＳコントローラ１６０は、運転モード設定要求コマンド以外のコマンドを送信可能な状態になるが、運転モード設定要求コマンドを送信可能な状態にならない。
【００５７】
ステップＳ３４において、蓄電池１２０は、蓄電池１２０の運転モードの設定完了に応じて、蓄電池１２０の運転モードの設定内容を示すＩＮＦコマンドをＥＭＳコントローラ１６０に送信する。
【００５８】
ステップＳ３５において、ＥＭＳコントローラ１６０は、ステップＳ３１で受信したアクセス要求に対する操作結果を操作端末１７０に送信する。
【００５９】
ステップＳ３６において、操作端末１７０は、蓄電池１２０の遠隔操作を行うためにアクセス要求をＥＭＳコントローラ１６０に送信する。ここでは、アクセス要求は、蓄電池１２０の状態を取得するための要求である。
【００６０】
ステップＳ３７において、ＥＭＳコントローラ１６０は、アクセス要求に対応する要求コマンドを蓄電池１２０に送信する。ここでは、要求コマンドは、上述したＧＥＴコマンドである。ＥＭＳコントローラ１６０は、ＧＥＴコマンドの送信に応じて第１タイマ）を起動する。
【００６１】
ステップＳ３８において、ＥＭＳコントローラ１６０は、要求コマンドに対する応答コマンドを蓄電池１２０から受信する。ここでは、応答コマンドは、蓄電池１２０の状態を示す情報を含むＧＥＴ応答コマンドである。ＥＭＳコントローラ１６０は、ＧＥＴ応答コマンドの受信に応じて第１タイマを停止する。すなわち、ＥＭＳコントローラ１６０は、運転モード設定要求コマンド以外のコマンドを送信可能な状態となる。
【００６２】
このような前提下において、ステップＳ４１において、操作端末１７０は、ステップＳ３１におけるアクセス要求の送信に応じて、第１タイマに係る満了タイミング情報及び第２タイマに係る満了タイミング情報の双方を通知する。一方で、ステップＳ４２において、操作端末１７０は、ステップＳ３６におけるアクセス要求の送信に応じて、第１タイマに係る満了タイミング情報を通知する。ステップＳ４２において、第２タイマに係る満了タイミング情報の通知は継続していてもよい。
【００６３】
上述したように、第１タイマ及び第２タイマに係る満了タイミング情報の通知態様は、応答待ちタイマにセットされるタイマ値の表示（カウントダウン形式又はカウントアップ形式）であってもよく、次のアクセス要求を受け付け可能であるか否かを示す表示であってもよい。
【００６４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６５】
実施形態では、応答待ちタイマは、要求コマンドの送信間隔を規定しており、ＥＭＳコントローラ１６０に設けられるが、実施形態は、これに限定されるものではない。応答待ちタイマは、要求コマンドの受信間隔を規定しており、機器に設けられてもよい。
【００６６】
応答待ちタイマにセットされるタイマ値は、要求コマンドの内容に応じて定められてもよい。要求コマンドの内容とは、要求コマンドのメッセージタイプ（ＧＥＴ又はＳＥＴ）であってもよく、機器が実行する動作の内容であってもよく、機器が送信する応答コマンドに含まれる情報の内容であってもよい。
【００６７】
応答待ちタイマの起動中において要求コマンドが送信又は受信された場合に、要求コマンドは、応答待ちタイマの満了後に実行されてもよく、破棄されてもよい。
【００６８】
ＥＭＳコントローラ１６０は、ネットワーク３００に接続された装置であり、ＥＭＳコントローラ１６０が有する機能は、ネットワーク３００を介したクラウドサービスによって提供されてもよい。
【００６９】
操作端末１７０は、施設１００に設けられるローカルエリアネットワークを介してＥＭＳコントローラ１６０にアクセス可能であってよく、施設１００に設けられていないワイドエリアネットワークを介してＥＭＳコントローラ１６０にアクセス可能であってもよい。
【００７０】
応答待ちタイマ中の通知態様として、タイマ値の表示に限定されるわけではなく、例えば、アクセス要求の受け付けが可能か否か表示してもよいし、アクセス要求が受け付けられない表示をしてもよい。アクセス要求が受け付けられない表示としては、文字で表示してもよいし、表示画面全体をグレイアウトさせてもよい。
【００７１】
なお、日本国特許出願第２０１６−２９９４１号（２０１６年２月１９日出願）の全内容が参照により本願明細書に組み込まれている。
【図１】
2017142015.tif 000003
【図２】
2017142015.tif 000004
【図３】
2017142015.tif 000005
【図４】
2017142015.tif 000006
【図５】
2017142015.tif 000007
【図６】
2017142015.tif 000008
【国際調査報告】
2017142015.tif 000009
2017142015.tif 000010